(57)【要約】【課題】同一店舗において、キャッシュディスク決済スタイルとペイステーション決済スタイルとを任意のタイミングで切り換えることができるような精算システムを提供すること。【解決手段】本発明は、現金精算装置と、レジスタと、を備えた精算システムであって、前記現金精算装置がレジレーンに組み込まれたキャッシュディスク決済スタイルと、前記現金精算装置がレジレーンから離間したペイステーション決済スタイルと、の間でレイアウト切換が可能となっていることを特徴とする精算システムである。【選択図】図２
2013025482.tif 000002
【特許請求の範囲】
【請求項１】
現金精算装置と、レジスタと、を備えた精算システムであって、
前記現金精算装置がレジレーンに組み込まれたキャッシュディスク決済スタイルと、
前記現金精算装置がレジレーンから離間したペイステーション決済スタイルと、
の間でレイアウト切換が可能となっている
ことを特徴とする精算システム。
【請求項２】
前記レジスタは、レイアウト切換を制御する切換手段を有しており、
前記レジスタの近傍には、制御ボックスが配置されており、
前記レジスタは、キャッシュディスク決済スタイルの場合、前記現金精算装置とデータ送受信を行うようになっており、ペイステーション決済スタイルの場合、前記制御ボックスとデータ送受信を行うようになっている
ことを特徴とする請求項１に記載の精算システム。
【請求項３】
前記レジスタの近傍には、取引特定媒体出力手段も配置されており、
前記制御ボックスは、ペイステーション決済スタイルの場合、前記取引特定媒体出力手段に取引特定媒体を出力させた後、取引の完了通知を前記レジスタに行い、管理装置に取引内容の登録通知を行うようになっている
ことを特徴とする請求項２に記載の精算システム。
【請求項４】
前記現金精算装置は、レイアウト切換を制御する切換手段を有しており、
前記レジスタの近傍には、取引特定媒体出力手段が配置されており、
前記現金精算装置は、キャッシュディスク決済スタイルの場合、精算処理を行うようになっており、ペイステーション決済スタイルの場合、前記取引特定媒体出力手段に出力指示を出すようになっている
ことを特徴とする請求項１に記載の精算システム。
【請求項５】
前記現金精算装置は、管理装置に取引内容の登録通知を行うようになっている
ことを特徴とする請求項４に記載の精算システム。
【請求項６】
前記レジスタの近傍に、制御ボックスが配置されており、
前記レジスタに対しての前記制御ボックスの装置特定情報を、前記レジスタに対しての前記現金精算装置の装置特定情報に書き換えることが可能となっている
ことを特徴とする請求項１に記載の精算システム。
【請求項７】
前記レジスタの近傍には、取引特定媒体出力手段も配置されており、
前記制御ボックスは、ペイステーション決済スタイルの場合、前記取引特定媒体出力手段に取引特定媒体を出力させた後、取引の完了通知を前記レジスタに行い、管理装置に取引内容の登録通知を行うようになっている
ことを特徴とする請求項６に記載の精算システム。
【請求項８】
前記現金精算装置がレジレーンに組み込まれたキャッシュデイスク決済スタイルの場合、顧客自らが前記レジスタでの登録と前記現金精算装置での精算処理とを行うセルフ運用である
ことを特徴とする請求項２、４または６に記載の精算システム。
【発明の詳細な説明】
【技術分野】
【０００１】
本発明は、貨幣の入金処理及び出金処理を行う現金精算装置と、購入商品の登録及び合計金額の算出を行うレジスタと、を備えた精算システムに関する。
【背景技術】
【０００２】
スーパーマーケットやコンビニエンスストア等の店舗には、紙幣及び硬貨の入金処理及び出金処理を行う現金精算装置と、顧客の購入商品の登録を行って売上金額を算出するＰＯＳ（Point Of Sale）レジスタと、を備えた精算システムが設けられている。
【０００３】
このような精算システムを用いた精算処理の一例としては、まず、ＰＯＳレジスタが売上金額を算出し、現金精算装置に通知する。現金精算装置は、顧客からの預かり金が投入されると、識別及び計数を行う。そして、現金精算装置は、顧客からの預かり金の総額から、ＰＯＳレジスタから通知された売上金額を減じて釣銭額を算出し、釣銭を出金する。
【０００４】
ここで、精算システムのレイアウトについて、典型的には以下の２つのスタイルが知られている。一つは、現金精算装置がレジレーンに組み込まれたキャッシュディスク決済スタイル（図７参照）であり、もう一つは、現金精算装置がレジレーンから離間したペイステーション決済スタイル（図８参照）である。
【０００５】
キャッシュディスク決済スタイルの場合は、ＰＯＳレジスタと現金精算装置が１対１に対応しており、一人の顧客に対して順番に処理を行っていくようになっている。つまり、ＰＯＳレジスタで商品登録を行った後に、現金精算装置で決済が行われる為、基本的には一方が稼働している時は、他方が非稼働状態になる。その為、商品登録と現金精算の何れかに偏って時間がかかるような場合は、効率的でなかった。一方、ペイステーション決済スタイルの場合は、ＰＯＳレジスタと現金精算装置が１対１に対応していない為、使用状況に応じて何れか一方を休止状態にすることによって、店員の数を減らしたりして効率的な使用が可能となる。
【０００６】
通常は、いずれかのスタイルが選択された上で、精算システムの設置が行われる。すなわち、店舗内において一旦設置が完了した精算システムは、キャッシュディスク決済スタイルか、ペイステーション決済スタイルか、いずれか一方のスタイルに固定される。
【０００７】
精算システムに対する店員の配置等をフレキシブルにするために、特許文献１は、精算システムにおいて回転部材を採用することを提案している。当該回転部材により、商品情報読取を、カスタマ側／キャッシャー側で切り替えることができる。
【０００８】
また、特許文献２は、チェックアウトステーションにおいて、顧客／店員による運用を切り替えできる装置を提案している。
【０００９】
また、特許文献３は、回転部材を有するＰＯＳ装置において、当該回転部材により、操作をカスタマ側／キャッシャー側で切り替えることを提案している。
【００１０】
また、特許文献４は、ＰＯＳレジスタ載置台において、ＰＯＳレジスタと備品（買物袋等）とのレイアウト変更を可能にしたものを提案している。
【００１１】
また、特許文献５は、顧客が釣り銭を受け取る出金口と、店員が預かった支払金を処理する入金口とが、逆方向にある釣銭機を提案している。
【００１２】
また、特許文献６は、オペレータの配置人数の変更に対応可能なチェックアウトシステムを提案している。
【先行技術文献】
【特許文献】
【００１３】
【特許文献１】特許第３６９８３６２号
【特許文献２】特許第４０２８７７３号
【特許文献３】特許第４４８２７１０号
【特許文献４】特開２００９−１８７２７４
【特許文献５】特開２０００−１４９０９０
【特許文献６】特開２００５−２４２６３４
【発明の概要】
【発明が解決しようとする課題】
【００１４】
従来技術においては、前記した通り、例えば部分的に可動な構成を採用することによって、店員の配置を変更可能とする（フレキシブルにする）ことや、あるいは、顧客／店員による運用（操作）を切り替えること等が提案されている。
【００１５】
しかしながら、従来は、同一店舗において、キャッシュディスク決済スタイルとペイステーション決済スタイルとを適宜に変更する、という発想は無かった。
【００１６】
本発明は、以上のような状況に鑑みて創案されたものである。本発明の目的は、同一店舗において、キャッシュディスク決済スタイルとペイステーション決済スタイルとを任意のタイミングで切り換えることができるような精算システムを提供することにある。
【課題を解決するための手段】
【００１７】
本発明は、現金精算装置と、レジスタと、を備えた精算システムであって、前記現金精算装置がレジレーンに組み込まれたキャッシュディスク決済スタイルと、前記現金精算装置がレジレーンから離間したペイステーション決済スタイルと、の間でレイアウト切換が可能となっていることを特徴とする精算システムである。
【００１８】
本発明によれば、精算システムが、予めキャッシュディスク決済スタイルとペイステーション決済スタイルとを切り換えることができるように構成されていることにより、任意のタイミングで、例えば店舗規模の改変時に、キャッシュディスク決済スタイルとペイステーション決済スタイルとを極めて容易に切り換えることができる。更に、曜日毎の集客状況に合わせて、曜日毎にキャッシュディスク決済スタイルとペイステーション決済スタイルとを切り換えることもできるし、さらに頻繁に時間帯毎にキャッシュディスク決済スタイルとペイステーション決済スタイルとを切り換えることも可能である。
【００１９】
特に、ペイステーション決済スタイルの採用時には、現金精算装置の数をレジスタの数（レジレーンの数）に対して、少なくする（間引く）ことも可能である。
【００２０】
好ましくは、前記レジスタの方に、レイアウト切換を制御する切換手段が設けられ、前記レジスタの近傍に、制御ボックスが配置され、前記レジスタは、キャッシュディスク決済スタイルの場合、前記現金精算装置とデータ送受信を行うようになっており、ペイステーション決済スタイルの場合、前記制御ボックスとデータ送受信を行うようになっている。
【００２１】
この場合、さらに具体的には、例えば、前記レジスタの近傍に取引特定媒体出力手段も配置され、前記制御ボックスは、ペイステーション決済スタイルの場合、前記取引特定媒体出力手段に取引特定媒体を出力させた後、取引の完了通知を前記レジスタに行い、管理装置に取引内容の登録通知を行うようになっている。
【００２２】
このような場合、各構成装置間の配線の接続状況を変えることなく、各構成装置を適宜の位置に移動させた後、レジスタの切換手段を操作するたけで、キャッシュディスク決済スタイルとペイステーション決済スタイルとを切り換えることができる。
【００２３】
あるいは、好ましくは、前記現金精算装置の方に、レイアウト切換を制御する切換手段が設けられ、前記レジスタの近傍に、取引特定媒体出力手段が配置され、前記現金精算装置は、キャッシュディスク決済スタイルの場合、精算処理を行うようになっており、ペイステーション決済スタイルの場合、前記取引特定媒体出力手段に出力指示を出すようになっている。
【００２４】
この場合、さらに具体的には、例えば、前記現金精算装置は、管理装置に取引内容の登録通知を行うようになっている。
【００２５】
このような場合、各構成装置間の配線の接続状況を変えることなく、各構成装置を適宜の位置に移動させた後、現金精算装置の切換手段を操作するたけで、キャッシュディスク決済スタイルとペイステーション決済スタイルとを切り換えることができる。
【００２６】
あるいは、好ましくは、前記レジスタの近傍に制御ボックスが配置され、前記レジスタに対しての前記制御ボックスの装置特定情報を、前記レジスタに対しての前記現金精算装置の装置特定情報に書き換えることが可能となっている。
【００２７】
この場合、さらに具体的には、例えば、前記レジスタの近傍に取引特定媒体出力手段も配置され、前記制御ボックスは、ペイステーション決済スタイルの場合、前記取引特定媒体出力手段に取引特定媒体を出力させた後、取引の完了通知を前記レジスタに行い、管理装置に取引内容の登録通知を行うようになっている。
【００２８】
このような場合、各構成装置間の配線の接続状況を変えることなく、各構成装置を適宜の位置に移動させた後、前記装置特定情報の書き換え操作のみによって、キャッシュディスク決済スタイルとペイステーション決済スタイルとを切り換えることができる。
【発明の効果】
【００２９】
本発明によれば、精算システムが、予めキャッシュディスク決済スタイルとペイステーション決済スタイルとを切り換えることができるように構成されていることにより、任意のタイミングで、例えば、繁忙時と閑散時や、配置できる店員の数に応じたり、店舗規模の改変時に、キャッシュディスク決済スタイルとペイステーション決済スタイルとを極めて容易に切り換えることができる。
【図面の簡単な説明】
【００３０】
【図１】本発明の第１の実施形態に係る精算システムを備えた現金管理システムの構成例を示すブロック図である。
【図２】図１の現金管理システムをキャッシュディスク決済スタイルで利用する場合の精算方法の一例を説明するタイミングチャートである。
【図３】図１の現金管理システムをペイステーション決済スタイルで利用する場合の精算方法の一例を説明するタイミングチャートである。
【図４】本発明の第２の実施形態に係る精算システムを備えた現金管理システムの構成例を示すブロック図である。
【図５】図４の現金管理システムをペイステーション決済スタイルで利用する場合の精算方法の一例を説明するタイミングチャートである。
【図６】本発明の第３の実施形態に係る精算システムを備えた現金管理システムをペイステーション決済スタイルで利用する場合の精算方法の一例を説明するタイミングチャートである。
【図７】キャッシュディスク決済スタイルの一例を示す外観図である。
【図８】ペイステーション決済スタイルの一例を示す外観図である。
【発明を実施するための形態】
【００３１】
以下、図面を参照して、本発明に係る実施形態を説明する。もっとも、本実施形態は、本発明を限定するものではない。
【００３２】
図１は、本発明の第１の実施形態に係る精算システム２を備えた現金管理システム１の構成例を示すブロック図である。現金管理システム１は、店員が顧客から受け取った現金、および、店員が顧客へ支払う現金を処理および管理するシステムである。
【００３３】
現金管理システム１は、店舗内のチェックアウトエリアに設けられており、店員が顧客との間でやりとりした現金を入金及び出金するチェックアウトカウンター１０と、チェックアウトカウンター１０の現金および商品を管理するバックオフィス２０と、チェックアウトカウンター１０とバックオフィス２０との間において現金を搬送する現金搬送カセット３０と、から構成されている。
【００３４】
チェックアウトカウンター１０には、現金を入金および出金することにより顧客との精算処理を行う現金精算装置１１と、当該現金精算装置１１と通信可能に接続され、顧客が購入する商品の登録を行うレジスタ４０と、を備えた精算システム２が設けられている。精算システム２は、複数セットが設けられていても良い。
【００３５】
現金精算装置１１は、店員または顧客自らによって操作され、店員と顧客との間の精算処理に用いられる。例えば、現金精算装置１１は、顧客が支払った代金を入金し、あるいは、顧客へ支払う釣銭を出金する。現金精算装置１１は、詳細には、図１に示すように、操作表示部１２と、紙幣処理部１３と、硬貨処理部１４と、制御ボックス１５と、バーコードリーダ１６と、レシートプリンタ１７と、を備えている。制御ボックス１５が、現金精算装置１１の各要素を制御するようになっている。
【００３６】
レジスタ４０は、例えば、店員によって操作されるＰＯＳレジスタであり、後述する操作部４１と、バーコードスキャナ４４と、を備えている。
【００３７】
バックオフィス２０には、現金出納装置２１と、現金管理装置２５と、ＰＯＳ管理装置２６と、が設けられている。現金出納装置２１は、現金精算装置１１と通信可能に接続されており、例えば、現金精算装置１１へ装填するための釣銭準備金を出金し、あるいは、現金精算装置１１から回収した売上金を入金する。
【００３８】
現金管理装置２５は、ＬＡＮ（Local Area Network）等を介して現金精算装置１１および現金出納装置２１と通信可能に接続されている。現金管理装置２５は、現金精算装置１１および現金出納装置２１に収納されている現金を管理する。例えば、現金管理装置２５は、現金精算装置１１のそれぞれにおいて精算処理された現金、並びに、現金精算装置１１と現金出納装置２１との間で授受された現金を管理する。また、現金管理装置２５は、現金精算装置１１または現金出納装置２１に現金搬送カセット３０が装着されているか否かを監視してもよい。
【００３９】
ＰＯＳ管理装置２６は、ＬＡＮ等を介してチェックアウトカウンター１０に設けられているレジスタ４０と通信可能に接続されており、商品の流れや店舗の売上を管理している。
【００４０】
現金搬送カセット３０は、現金精算装置１１および現金出納装置２１に着脱可能に構成されており、現金精算装置１１または現金出納装置２１に装着されているときには現金精算装置１１または現金出納装置２１との間で現金を授受することができる。一方、現金搬送カセット３０は、現金精算装置１１および現金出納装置２１から離脱しているときには内部の現金を取出せないように収納している。店員は、現金搬送カセット３０を用いて現金精算装置１１と現金出納装置２１との間における現金の搬送を行う。例えば、釣銭準備金の装填時あるいは売上金の回収時には、店員は、現金搬送カセット３０を用いて現金を現金精算装置１１と現金出納装置２１との間で搬送する。店員は、現金の搬送時に現金搬送カセット３０内の現金に触れることができないので、セキュリティ上安全な状態で現金を搬送することができる。
【００４１】
現金搬送カセット３０は、紙幣および硬貨のいずれか一方を搬送するように構成されていてもよく、両方を搬送できるように構成されていてもよい。紙幣用の現金搬送カセット３０は、紙幣を積み重ねて収納するスタック式カセットであってもよく、あるいは、紙幣を一枚ずつ複数のテープ間に挟み込んだ状態で該テープを紙幣とともに巻き取るテープリール式カセットであってもよい。硬貨用の現金搬送カセット３０は、金種混合の状態で硬貨を収納するカセットでよい。
【００４２】
本実施の形態では、レジスタ４０が、レイアウト切換を制御する切換手段としての操作部４１を有している。また、当該レジスタ４０の近傍に、制御ボックス４２と、取引特定媒体としてのレシートをプリントするプリンタ４３（取引特定媒体出力手段）と、が配置されている。そして、レジスタ４０は、キャッシュディスク決済スタイルの場合には、現金精算装置１１とデータ送受信を行うようになっている一方、ペイステーション決済スタイルの場合には、制御ボックス４２とデータ送受信を行うようになっている。また、現金精算装置１１は、キャッシュディスク決済スタイルの場合には、レジスタ４０からのデータ入力を待機するようになっている一方で、ペイステーション決済スタイルの場合には、レシートの読取を待機するようになっている（バーコードリーダ１６を有している）。
【００４３】
本実施の形態の制御ボックス４２は、さらに、ペイステーション決済スタイルの場合、プリンタ４３にレシートを印刷させた後、取引の完了通知をレジスタ４０に行って、現金管理装置２５に取引内容の登録通知を行うようになっている。
【００４４】
次に、このような現金精算装置１１及びレジスタ４０を有する精算システム２を用いた精算方法について、図２及び図３を用いて説明する。
【００４５】
まず、キャッシュディスク決済スタイル（図７参照）として配置されている場合について説明する。すなわち、レジスタ４０の操作部４１を介して、キャッシュディスク決済スタイルが選択され、各構成装置（レジスタ４０や現金精算装置１１など）もそのように配置されている場合について説明する。図７の例では、現金精算装置１１の一つが余剰となって、休止状態となっている。なお、図７において、符号４５は商品搬送のためのコンベヤを示している。
【００４６】
（ステップＳ１０１）例えばバーコードスキャナ４４を介して、顧客が購入する商品の商品情報がレジスタ４０に登録され、購入金額が算出される。
【００４７】
（ステップＳ１０２）レジスタ４０が現金精算装置１１に対して購入金額を送信する。（現金精算装置１１のバーコードリーダ１６は使用されない。）
（ステップＳ１０３）顧客の支払い貨幣が現金精算装置１１の紙幣処理部１３ないし硬貨処理部１４に投入される。貨幣の投入は店員が行ってもよいし、顧客自ら行ってもよい。現金精算装置１１は、投入された貨幣の識別・計数を含む入金処理を行う。
【００４８】
（ステップＳ１０４）現金精算装置１１が、投入金額を算出する。
【００４９】
（ステップＳ１０５）現金精算装置１１が、ステップＳ１０４で算出した投入金額を顧客からの預かり金の総額とし、この預かり金の総額及びステップＳ１０２でレジスタ４０から受信した購入金額に基づいて釣銭額を算出する。
【００５０】
（ステップＳ１０６）現金精算装置１１が、ステップＳ１０５で算出した釣銭額に基づいて釣銭貨幣を出金する。釣銭貨幣は店員が顧客に手渡してもよいし、投出された釣銭貨幣を顧客自ら受け取ってもよい。
【００５１】
（ステップＳ１０７）現金精算装置１１が、釣銭貨幣の出金完了すなわち現金精算完了をレジスタ４０及び現金管理装置２５に通知する。
【００５２】
（ステップＳ１０８）レジスタ４０の制御に基づいて、プリンタ４３が、顧客の購入商品の商品情報、購入金額、顧客の支払い額、釣銭額等を含む取引内容を印字したレシートを出力する。顧客が自らレシートを取るか、あるいは、店員が出力されたレシートを顧客に手渡す。もっとも、レシートは、現金精算装置１１のレシートプリンタ１７から出力されてもよい。
【００５３】
次に、ペイステーション決済スタイル（図８参照）に変更する手順について説明する。本実施の形態によれば、極めて簡単な作業によって、ペイステーション決済スタイルへの変更が実現される。具体的には、レジスタ４０の操作部４１を介して、ペイステーション決済スタイルへ切り換えられ、各構成装置（レジスタ４０や現金精算装置１１など）の配置もそのように変更される。それだけで、すなわち、各構成装置間の配線の接続状況を変えたり、制御プログラムを変更するといった面倒な作業を伴うことなく、ペイステーション決済スタイルへの変更が実現される。また、同様に、各構成装置間の配線の接続状況を変えたり、制御プログラムを変更するといった面倒な作業を伴うことなく、キャッシュディスク決済スタイルに戻すことも可能である。図８の例では、レジスタ４０より多い数の現金精算装置１１が利用可能状態となっている。
【００５４】
ペイステーション決済スタイルの場合の精算方法について、図３を用いて説明する。
【００５５】
（ステップＳ２０１）例えばバーコードスキャナ４４を介して、顧客が購入する商品の商品情報がレジスタ４０に登録され、購入金額が算出される。
【００５６】
（ステップＳ２０２）レジスタ４０が、現金精算装置１１ではなくて制御ボックス４２に対して、購入金額を送信する（この送信先の変更が、レジスタ４０の操作部４１による切換操作に因るものである）。
【００５７】
（ステップＳ２０３）制御ボックス４２は、プリンタ４３に、顧客の購入商品の商品情報、購入金額等を含む取引内容を印字したレシートを印刷させる。本実施の形態では、購入金額については、バーコード情報としても印刷させる。
【００５８】
（ステップＳ２０４）さらに制御ボックス４２は、取引の完了通知をレジスタ４０に行うと共に、現金管理装置２５に取引内容の登録通知を行う。
【００５９】
（ステップＳ２０５）顧客は、自らレシートを取るか、あるいは、店員から印刷されたレシートを手渡されると、レジスタ４０からは離れて配置された現金精算装置１１に移動する。
【００６０】
（ステップＳ２０６）顧客は、現金精算装置１１のバーコードリーダ１６に対して、レシートのバーコード情報を読み込ませる。
【００６１】
（ステップＳ２０７）顧客の支払い貨幣が現金精算装置１１の紙幣処理部１３ないし硬貨処理部１４に投入される。貨幣の投入は通常顧客自らが行う。現金精算装置１１は、投入された貨幣の識別・計数を含む入金処理を行う。
【００６２】
（ステップＳ２０８）現金精算装置１１が、投入金額を算出する。
【００６３】
（ステップＳ２０９）現金精算装置１１が、ステップＳ２０８で算出した投入金額を顧客からの預かり金の総額とし、この預かり金の総額及びバーコード情報から得た購入金額に基づいて釣銭額を算出する。
【００６４】
（ステップＳ２１０）現金精算装置１１が、ステップＳ２０９で算出した釣銭額に基づいて釣銭貨幣を出金する。投出された釣銭貨幣は通常顧客自らが受け取る。
【００６５】
（ステップＳ２１１）現金精算装置１１が、釣銭貨幣の出金完了すなわち現金精算完了をレジスタ４０及び現金管理装置２５に通知する。そして、現金精算完了を示すレシートが、現金精算装置１１のレシートプリンタ１７から出力される。
【００６６】
以上の通り、本実施の形態によれば、精算システム２０が、予めレジスタ４０の操作部４１によってキャッシュディスク決済スタイルとペイステーション決済スタイルとを切換可能に構成されていることにより、任意のタイミングで、例えば、繁忙時と閑散時や、配置できる店員の数に応じたり、店舗規模の改変時に、キャッシュディスク決済スタイルとペイステーション決済スタイルとを極めて容易に切り換えることができる。更に、曜日毎の集客状況に合わせて、曜日毎にキャッシュディスク決済スタイルとペイステーション決済スタイルとを切り換えることもできるし、さらに頻繁に時間帯毎にキャッシュディスク決済スタイルとペイステーション決済スタイルとを切り換えることも可能である。
【００６７】
次に、図４は、本発明の第２の実施形態に係る精算システム２を備えた現金管理システム１の構成例を示すブロック図である。
【００６８】
図４に示すように、本実施の形態においては、現金精算装置１１の操作表示部１２が、レイアウト切換を制御する切換手段として機能するようになっている。現金精算装置１１のその他の構成は、図１に示した第１の実施形態と同様である。レジスタ４０の近傍には、第1の実施形態と同様に、取引特定媒体としてのレシートをプリントするプリンタ４３（取引特定媒体出力手段）が配置されているが、制御ボックスは設けられていない。また、本実施の形態のレジスタ４０は、キャッシュディスク決済スタイルの場合にもペイステーション決済スタイルの場合にも、現金精算装置１１とデータ送受信を行うようになっている。そして、現金精算装置１１が、キャッシュディスク決済スタイルの場合には、レジスタ４０からのデータ入力を待機するようになっている一方で、ペイステーション決済スタイルの場合には、プリンタ４３にレシートを印刷させてから、レシートの読取を待機するようになっている。
【００６９】
本実施の形態におけるその他の構成については、前記第１の実施の形態と同様である。図４において、前記第１の実施の形態と同様の部分には、前記第１の実施の形態と同様の符号を付してある。また、それら同様の部分の説明は省略する。
【００７０】
次に、このような現金精算装置１１及びレジスタ４０を有する精算システム２を用いた精算方法について、図２及び図５を用いて説明する。
【００７１】
キャッシュディスク決済スタイル（図７参照）として配置されている場合については、図２を用いて説明した第１の実施の形態の場合と同様である。
【００７２】
次に、ペイステーション決済スタイル（図８参照）に変更する手順について説明する。本実施の形態によれば、極めて簡単な作業によって、ペイステーション決済スタイルへの変更が実現される。具体的には、現金精算装置１１の操作表示部１２を介して、ペイステーション決済スタイルへ切り換えられ、各構成装置（レジスタ４０や現金精算装置１１など）の配置もそのように変更される。それだけで、すなわち、各構成装置間の配線の接続状況を変えたり、制御プログラムを変更するといった面倒な作業を伴うことなく、ペイステーション決済スタイルへの変更が実現される。また、同様に、各構成装置間の配線の接続状況を変えたり、制御プログラムを変更するといった面倒な作業を伴うことなく、キャッシュディスク決済スタイルに戻すことも可能である。
【００７３】
ペイステーション決済スタイルの場合の精算方法について、図５を用いて説明する。
【００７４】
（ステップＳ３０１）例えばバーコードスキャナ４４を介して、顧客が購入する商品の商品情報がレジスタ４０に登録され、購入金額が算出される。
【００７５】
（ステップＳ３０２）レジスタ４０が現金精算装置１１に対して購入金額を送信する。
【００７６】
（ステップＳ３０３）現金精算装置１１が、プリンタ４３にレシート印刷指令を送信する。
【００７７】
（ステップＳ３０３）プリンタ４３が、レシートを印刷する。
【００７８】
（ステップＳ３０５）顧客は、自らレシートを取るか、あるいは、店員から印刷されたレシートを手渡されると、レジスタ４０からは離れて配置された現金精算装置１１に移動する。
【００７９】
（ステップＳ３０６）顧客は、現金精算装置１１のバーコードリーダ１６に対して、レシートのバーコード情報を読み込ませる。
【００８０】
（ステップＳ３０７）顧客の支払い貨幣が現金精算装置１１の紙幣処理部１３ないし硬貨処理部１４に投入される。貨幣の投入は通常顧客自らが行う。現金精算装置１１は、投入された貨幣の識別・計数を含む入金処理を行う。
【００８１】
（ステップＳ３０８）現金精算装置１１が、投入金額を算出する。
【００８２】
（ステップＳ３０９）現金精算装置１１が、ステップＳ３０８で算出した投入金額を顧客からの預かり金の総額とし、この預かり金の総額及びバーコード情報から得た購入金額に基づいて釣銭額を算出する。
【００８３】
（ステップＳ３１０）現金精算装置１１が、ステップＳ３０９で算出した釣銭額に基づいて釣銭貨幣を出金する。投出された釣銭貨幣は通常顧客自らが受け取る。
【００８４】
（ステップＳ３１１）現金精算装置１１が、釣銭貨幣の出金完了すなわち現金精算完了をレジスタ４０及び現金管理装置２５に通知する。そして、現金精算完了を示すレシートが、現金精算装置１１のレシートプリンタ１７から出力される。
【００８５】
以上の通り、本実施の形態によれば、精算システム２０が、予め現金精算装置１１の操作表示部１２によってキャッシュディスク決済スタイルとペイステーション決済スタイルとを切換可能に構成されていることにより、任意のタイミングで、例えば、繁忙時と閑散時や、配置できる店員の数に応じたり、店舗規模の改変時に、キャッシュディスク決済スタイルとペイステーション決済スタイルとを極めて容易に切り換えることができる。更に、曜日毎の集客状況に合わせて、曜日毎にキャッシュディスク決済スタイルとペイステーション決済スタイルとを切り換えることもできるし、さらに頻繁に時間帯毎にキャッシュディスク決済スタイルとペイステーション決済スタイルとを切り換えることも可能である。
【００８６】
次に、本発明の第３の実施形態に係る精算システム２を備えた現金管理システム１について説明する。
【００８７】
第１の実施形態と同様に、本実施の形態においては、図１に示すように、レジスタ４０の近傍に、制御ボックス４２と、取引特定媒体としてのレシートをプリントするプリンタ４３（取引特定媒体出力手段）と、が配置されており、レジスタ４０が、レイアウト切換を制御する切換手段としての操作部４１を有している。本実施の形態では、レイアウト切換に対応する操作として、レジスタ４０に対しての制御ボックス４２の装置特定情報（例えば、いわゆるＩＰアドレス）を、レジスタ４０に対しての現金精算装置１１の装置特定情報に書き換える操作が用意されている（例えばプログラムされている）。
【００８８】
本実施の形態のレジスタ４０は、キャッシュディスク決済スタイルの場合には、現金精算装置１１とデータ送受信を行うようになっている一方、ペイステーション決済スタイルの場合には、装置特定情報の書き換え操作に因って、制御ボックス４２とデータ送受信を行うようになっている。
【００８９】
本実施の形態におけるその他の構成については、前記第１の実施の形態と同様である。
【００９０】
次に、このような現金精算装置１１及びレジスタ４０を有する精算システム２を用いた精算方法について、図２及び図６を用いて説明する。
【００９１】
キャッシュディスク決済スタイル（図７参照）として配置されている場合については、図２を用いて説明した第１の実施の形態の場合と同様である。
【００９２】
次に、ペイステーション決済スタイル（図８参照）に変更する手順について説明する。本実施の形態によれば、極めて簡単な作業によって、ペイステーション決済スタイルへの変更が実現される。具体的には、レジスタ４０の操作部４１を介して、レジスタ４０に対しての制御ボックス４２の装置特定情報が、レジスタ４０に対しての現金精算装置１１の装置特定情報に書き換えられ、各構成装置（レジスタ４０や現金精算装置１１など）の配置がペイステーション決済スタイルに変更される。それだけで、すなわち、各構成装置間の配線の接続状況を変えたり、制御プログラムを変更するといった面倒な作業を伴うことなく、ペイステーション決済スタイルへの変更が実現される。また、同様に、各構成装置間の配線の接続状況を変えたり、制御プログラムを変更するといった面倒な作業を伴うことなく、キャッシュディスク決済スタイルに戻すことも可能である。
【００９３】
ペイステーション決済スタイルの場合の精算方法について、図６を用いて説明する。
【００９４】
（ステップＳ４０１）例えばバーコードスキャナ４４を介して、顧客が購入する商品の商品情報がレジスタ４０に登録され、購入金額が算出される。
【００９５】
（ステップＳ４０２）レジスタ４０が現金精算装置１１に対して購入金額を送信しようとすると、前記のように装置特定情報を書き換えられていることにより、制御ボックス４２に対して購入金額が送信される。
【００９６】
（ステップＳ４０３）制御ボックス４２は、プリンタ４３に、顧客の購入商品の商品情報、購入金額等を含む取引内容を印字したレシートを印刷させる。本実施の形態では、購入金額については、バーコード情報としても印刷させる。
【００９７】
（ステップＳ４０４）さらに制御ボックス４２は、取引の完了通知をレジスタ４０に行うと共に、現金管理装置２５に取引内容の登録通知を行う。
【００９８】
（ステップＳ４０５）顧客は、自らレシートを取るか、あるいは、店員から印刷されたレシートを手渡されると、レジスタ４０からは離れて配置された現金精算装置１１に移動する。
【００９９】
（ステップＳ４０６）顧客は、現金精算装置１１のバーコードリーダ１６に対して、レシートのバーコード情報を読み込ませる。
【０１００】
（ステップＳ４０７）顧客の支払い貨幣が現金精算装置１１の紙幣処理部１３ないし硬貨処理部１４に投入される。貨幣の投入は通常顧客自らが行う。現金精算装置１１は、投入された貨幣の識別・計数を含む入金処理を行う。
【０１０１】
（ステップＳ４０８）現金精算装置１１が、投入金額を算出する。
【０１０２】
（ステップＳ４０９）現金精算装置１１が、ステップＳ４０８で算出した投入金額を顧客からの預かり金の総額とし、この預かり金の総額及びバーコード情報から得た購入金額に基づいて釣銭額を算出する。
【０１０３】
（ステップＳ４１０）現金精算装置１１が、ステップＳ４０９で算出した釣銭額に基づいて釣銭貨幣を出金する。投出された釣銭貨幣は通常顧客自らが受け取る。
【０１０４】
（ステップＳ４１１）現金精算装置１１が、釣銭貨幣の出金完了すなわち現金精算完了をレジスタ４０及び現金管理装置２５に通知する。そして、現金精算完了を示すレシートが、現金精算装置１１のレシートプリンタ１７から出力される。
【０１０５】
以上の通り、本実施の形態によれば、精算システム２０が、予め制御ボックス４２の装置特定情報を現金精算装置１１の装置特定情報に書換可能に構成されていることにより、任意のタイミングで、例えば、繁忙時と閑散時や、配置できる店員の数に応じたり、店舗規模の改変時に、キャッシュディスク決済スタイルとペイステーション決済スタイルとを極めて容易に切り換えることができる。更に、曜日毎の集客状況に合わせて、曜日毎にキャッシュディスク決済スタイルとペイステーション決済スタイルとを切り換えることもできるし、さらに頻繁に時間帯毎にキャッシュディスク決済スタイルとペイステーション決済スタイルとを切り換えることも可能である。
【０１０６】
なお、装置特定情報の書き換えについては、レジスタ４０に設定されている送信先情報（例えば送信先ＩＰアドレス）を書き換えるという態様の他、現金精算装置１１自体及び制御ボックス４２自体に設定されている装置特定情報を書き換えるという態様も、採用可能である。
【０１０７】
なお、本発明は前記実施形態そのままに限定されるものではなく、実施段階ではその要旨を逸脱しない範囲で構成要素を変形して具体化できる。例えば、第１から第３の各実施形態におけるペイステーション決済スタイルの場合の精算方法において、顧客の購入商品の購入金額をバーコード情報として印刷し、現金精算装置１１で読み取ることにより精算処理を行うようにしたが、購入商品の購入金額を所定のＩＤ情報と紐付けて現金管理装置２５等に記憶させておき、現金精算装置１１でＩＤ情報が入力されることにより、そのＩＤ情報に紐付けられて記憶されている購入金額情報を読み出してきて精算処理を行うようにしてもよい。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０８】
１  現金管理システム
２  精算システム
１０  チェックアウトカウンター
１１  現金精算装置
１２  操作表示部
１３  紙幣処理部
１４  硬貨処理部
１５  制御ボックス
１６  バーコードリーダ
１７  レシートプリンタ
２０  バックオフィス
２１  現金出納装置
２５  現金管理装置
２６  ＰＯＳ管理装置
３０  現金搬送カセット
４０  レジスタ
４１  操作部
４２  制御ボックス
４３  プリンタ（取引特定媒体出力手段）
４４  バーコードスキャナ
４５  コンベヤ
【図１】
2013025482.tif 000003
【図２】
2013025482.tif 000004
【図３】
2013025482.tif 000005
【図４】
2013025482.tif 000006
【図５】
2013025482.tif 000007
【図６】
2013025482.tif 000008
【図７】
2013025482.tif 000009
【図８】
2013025482.tif 000010